(57)【要約】【課題】戻しリンクバネの先端が係止溝を削ることがなく、レバー杆を９０度程度まで倒せることができて、差し込み空間を広くすることを可能とする。【解決手段】カラビナ１１において、開口部２７を有するＣ字形のボディ１５と、ボディ１５の開放一端部に回転自在に支持されるレバー杆１３と、レバー杆１３に収容されレバー杆１３を閉じる位置に付勢するコイル状のリターンスプリング１７と、へ字状に曲げられた金属片からなり、一端がリターンスプリング１７に当接され、他端がボディ１５の開放一端部近傍に形成された係止溝２３に係止される戻しリンクバネ１９と、戻しリンクバネ１９の他端に形成され、係止溝２３に摺接する摺接端部２１と、係止溝２３に形成され、戻しリンクバネ１９の摺接端部２１が摺接する湾曲凹面よりなるバネ受け面２５と、を設けた。【選択図】  図２
2016006342.tif 000002
【特許請求の範囲】
【請求項１】
開口部を有するＣ字形のボディと、
前記ボディの開放一端部に回転自在に支持されるレバー杆と、
前記レバー杆に収容され前記レバー杆を閉じる位置に付勢するコイル状のリターンスプリングと、
へ字状に曲げられた金属片からなり、一端が前記リターンスプリングに当接され、他端が前記ボディの開放一端部近傍に形成された係止溝に係止される戻しリンクバネと、
前記戻しリンクバネの他端に形成され、前記係止溝に摺接する摺接端部と、
前記係止溝に形成され、前記戻しリンクバネの前記摺接端部が摺接する湾曲凹面よりなるバネ受け面と、
を具備することを特徴とするカラビナ。
【請求項２】
請求項１記載のカラビナであって、
前記摺接端部の断面形状が、湾曲凸面よりなることを特徴とするカラビナ。
【請求項３】
請求項１または２記載のカラビナであって、
前記バネ受け面の前記レバー杆の閉鎖状態における湾曲終端部に、前記戻しリンクバネの前記摺接端部の離脱を規制する突起が突設されることを特徴とするカラビナ。
【請求項４】
請求項１，２，３のいずれか１つに記載のカラビナであって、
前記レバー杆の閉鎖位置から前記レバー杆の開放端位置までの前記レバー杆の回転角度が、９０度に設定されることを特徴とするカラビナ。
【請求項５】
請求項１，２，３，４のいずれか１つに記載のカラビナであって、
前記係止溝が、前記バネ受け面の湾曲に連続して前記ボディの前記開口部に沿うストレート面を有し、
前記戻しリンクバネが、前記戻しリンクバネに当接するスプリング挿入片と、前記スプリング挿入片とでへ字状となるように折り曲げられ、前記ストレート面と接するときの前記ストレート面と成す溝外側の挟角が鋭角となる溝当接片と、
を具備することを特徴とするカラビナ。
【発明の詳細な説明】
【技術分野】
【０００１】
本発明は、カラビナに関する。
【背景技術】
【０００２】
登山用や洞窟探検用、救助用などのカラビナ（特許文献１、２等参照）や、キーホルダーなど装飾用のカラビナなどが一般に知られている。
図１５（ａ）に示すように、この種のカラビナ５０１の構造は、略Ｃ字形のボディ５０３と、断面略円形の可動なレバー杆５０５とからなる。レバー杆５０５は、スピンドル５０７を介してボディ５０３の開放一端部に回動自在に支持される。レバー杆５０５は、ボディ５０３に押し込むようにすることでボディ５０３から離れたセパレートポジジョン（図１５（ａ）では、一点鎖線で示されている）に動くことができる。このレバー杆５０５の位置でカラビナ５０１は開き、安全ロープや革ひも、キーリング等を差し込むことができる。レバー杆５０５の内部には、リターンスプリング５０９が装着され、このリターンスプリング５０９によってレバー杆５０５は反対方向の閉じる位置（図１５（ａ）では実線で示されている）に付勢され、この位置ではレバー杆５０５はボディ５０３の開放他端部５１５に係合する。
【先行技術文献】
【特許文献】
【０００３】
【特許文献１】ＵＳ２００８／０００６８７６Ａ１
【特許文献２】ＥＰ１４３３９６３Ｂ１
【発明の概要】
【発明が解決しようとする課題】
【０００４】
しかしながら、上記従来のカラビナ５０１は、レバー杆５０５の開放角度が、４０度〜６０度程度と大きくならない。カラビナ５０１は、コイルスプリングであるリターンスプリング５０９に、金属片からなり、へ字状に曲げられた戻しリンクバネ５１１が挿入されている。戻しリンクバネ５１１は、図１５（ｂ）に示すように、一端側の掛止部５１０がリターンスプリング５０９に当接され、他端がボディ５０３の開放一端部近傍に形成されたＶ字状の係止溝５１３に係止される。
【０００５】
レバー杆５０５がスピンドル５０７を中心に回転されると、スピンドル５０７と係止溝５１３との位置の違いによって、リターンスプリング５０９は戻しリンクバネ５１１によって圧縮される。この際、戻しリンクバネ５１１の他端は、係止溝５１３を削るように作用してしまう。この削れは、戻しリンクバネ５１１が鋼性であり、特にボディ５０３を樹脂材料により製作したときに不具合が顕著となり、戻しリンクバネ５１１の他端が係止溝５１３を抉り、そして、係止溝５１３の一端側凸部５１４を欠損させる虞がある。
【０００６】
また、従来のカラビナ５０１の構造では、図１５（ｃ）に示すように、レバー杆５０５の開放角度を、９０度程度まで大きく設定すると、戻しリンクバネ５１１の一端が、Ｖ字状の係止溝５１３から抜け出る（図中矢印Ａ）角度に傾斜したり、戻しリンクバネ５１１に過剰な応力が作用して破損したりする虞がある。このようなことから、上記した従来のカラビナ５０１では、ボディ５０３の形状を開放部分に沿って縦長に構成し、レバー杆５０５をボディ５０３の幅長すなわち奥行き幅よりも長く設定してレバー杆５０５の開放角度を９０度よりも十分に小さく制限していた。
【０００７】
本発明は上記状況に鑑みてなされたもので、その目的は、戻しリンクバネの先端が係止溝を削ってしまったり欠損させたりすることがなく、且つ、レバー杆を９０度程度まで倒せることができて、差し込み空間を広くすることができ、カラビナとしての形状に制限のないカラビナを提供することにある。
【課題を解決するための手段】
【０００８】
次に、上記の課題を解決するための手段を、実施の形態に対応する図面を参照して説明する。
本発明の請求項１記載のカラビナ１１は、開口部２７を有するＣ字形のボディ１５と、
前記ボディ１５の開放一端部に回転自在に支持されるレバー杆１３と、
前記レバー杆１３に収容され前記レバー杆１３を閉じる位置に付勢するコイル状のリターンスプリング１７と、
へ字状に曲げられた金属片からなり、一端が前記リターンスプリング１７に当接され、他端が前記ボディ１５の開放一端部近傍に形成された係止溝２３に係止される戻しリンクバネ１９と、
前記戻しリンクバネ１９の他端に形成され、前記係止溝２３に摺接する摺接端部２１と、
前記係止溝２３に形成され、前記戻しリンクバネ１９の前記摺接端部２１が摺接する湾曲凹面よりなるバネ受け面２５と、
を具備することを特徴とする。
【０００９】
このカラビナ１１では、レバー杆１３の開放方向への回転に伴って、レバー杆１３に収容される戻しリンクバネ１９は、他端の摺接端部２１が、湾曲凹面となったバネ受け面２５を摺動する。戻しリンクバネ１９は、摺接端部２１とバネ受け面２５との成す溝外側の挟角が鈍角となり、戻しリンクバネ１９が係止溝２３から脱落しにくくなる。これにより、レバー部は、９０度程度まで回転された開放が可能となる。また、戻しリンクバネ１９の摺接端部２１が、係止溝２３のバネ受け面２５の湾曲面を摺接することとなり、戻しリンクバネ１９による係止溝２３の削れが抑制される。
【００１０】
本発明の請求項２記載のカラビナ１１は、請求項１記載のカラビナ１１であって、
前記摺接端部２１の断面形状が、湾曲凸面よりなることを特徴とする。
【００１１】
このカラビナ１１では、戻しリンクバネ１９の摺接端部２１と、係止溝２３のバネ受け面２５とが、相互に湾曲面同士で摺接し、戻しリンクバネ１９による係止溝２３の削れがより抑制されることとなる。
【００１２】
本発明の請求項３記載のカラビナ１１は、請求項１または２記載のカラビナ１１であって、
前記バネ受け面２５の前記レバー杆１３の閉鎖状態における湾曲終端部に、前記戻しリンクバネ１９の前記摺接端部２１の離脱を規制する突起４９が突設されることを特徴とする。
【００１３】
このカラビナ１１では、レバー杆１３が閉鎖されると、バネ受け面２５を摺接する戻しリンクバネ１９の摺接端部２１が、バネ受け面２５の一方の湾曲終端部（係止溝端）に接近する。その際、摺接端部２１が、湾曲終端部に設けられた突起４９に当接することで、摺接端部２１の係止溝端からの離脱が規制され、脱落することがなくなる。
【００１４】
本発明の請求項４記載のカラビナ１１は、請求項１，２，３のいずれか１つに記載のカラビナ１１であって、
前記レバー杆１３の閉鎖位置から前記レバー杆１３の開放端位置までの前記レバー杆１３の回転角度が、９０度に設定されることを特徴とする。
【００１５】
このカラビナ１１では、レバー杆１３が、９０度の回転角度で回転され、開放されることで、ボディ１５の開口部２７において、レバー杆１３が、開口部２７の開口面と垂直に配置される。これにより、開口部２７は、離間幅の全てが、差し入れ部材の通過幅として利用可能となる。
【００１６】
本発明の請求項５記載のカラビナ５５は、請求項１，２，３，４のいずれか１つに記載のカラビナ１１であって、
前記係止溝５９が、前記バネ受け面２５の湾曲に連続して前記ボディ５１の前記開口部２７に沿うストレート面６１を有し、
前記戻しリンクバネ１９が、前記戻しリンクバネ１９に当接するスプリング挿入片４３と、前記スプリング挿入片４３とでへ字状となるように折り曲げられ、前記ストレート面６１と接するときの前記ストレート面６１と成す溝外側の挟角θが鋭角となる溝当接片４５と、
を具備することを特徴とする。
【００１７】
このカラビナ１１では、レバー杆５７の回転角度が９０度程度となって、戻しリンクバネ１９の摺接端部２１がストレート面６１に到達したとき、摺接端部２１とストレート面６１との成す溝外側の挟角θが鋭角となる。これにより、摺接端部２１は、係止溝５９からの脱落が抑制される。
【発明の効果】
【００１８】
本発明に係る請求項１記載のカラビナによれば、戻しリンクバネの先端が係止溝を削ってしまったり、欠損させることがなく、且つ、レバー杆を９０度程度まで倒せることができて、差し込み空間を広くすることができる。また、レバー杆を大きく開放することができることから、ボディの形状やレバー杆の長さを規制することがなく、カラビナとしての形状の自由度が増し、よりデザイン性などを付与できるカラビナを得られる。
【００１９】
本発明に係る請求項２記載のカラビナによれば、戻しリンクバネの摺接端部と、係止溝のバネ受け面とが、相互に湾曲面同士で摺接することとなり、戻しリンクバネによる係止溝の削れがより抑制されることとなる。
【００２０】
本発明に係る請求項３記載のカラビナによれば、レバー杆閉鎖時の戻しリンクバネの係止溝からの抜け出しを防止できる。
【００２１】
本発明に係る請求項４記載のカラビナによれば、開口部が有する離間幅の全てを、ボディ内方へ差し入れる部材の通過幅に設定できる。
【００２２】
本発明に係る請求項５記載のカラビナによれば、レバー杆を９０度程度まで倒したときの戻しリンクバネの係止溝から溝外側への抜け出しを防止できる。
【図面の簡単な説明】
【００２３】
【図１】本発明の実施形態に係るカラビナの一部分を切り欠いた正面図である。
【図２】（ａ）は図１に示したカラビナの分解斜視図、（ｂ）は（ａ）の要部拡大側面図である。
【図３】図１に示したカラビナのレバー杆が開かれた状態の一部分を切り欠いた正面図である。
【図４】（ａ）はレバー杆閉鎖時の要部側面を表す動作説明図、（ｂ）はレバー杆回転途中の要部側面を表す動作説明図、（ｃ）はレバー杆が開かれた状態の要部側面を表す動作説明図である。
【図５】ボディにストッパー面が形成された変形例に係るカラビナの一部分を切り欠いた正面図である。
【図６】図５に示したカラビナのレバー杆が開放された状態の正面図である。
【図７】（ａ）はＵ字状に形成されたバネ受け面におけるレバー杆閉鎖時の要部側面を表す動作説明図、（ｂ）はレバー杆回転途中の要部側面を表す動作説明図、（ｃ）はレバー杆が開かれた状態の要部側面を表す動作説明図である。
【図８】ボディにキャップ状座部が設けられた変形例に係るカラビナの斜視図である。
【図９】図８に示したカラビナのキャップ状座部の構造を破線で表した正面図である。
【図１０】図８に示したカラビナのレバー杆閉鎖時の正面図である。
【図１１】図８に示したカラビナのレバー杆が開かれた状態の正面図である。
【図１２】図８に示したカラビナが取り付けられた折りたたみ傘の斜視図である。
【図１３】キャップ状座部に締め付けベルトが設けられた変形例に係るカラビナの正面図である。
【図１４】図１３に示した締め付けベルトの平面図である。
【図１５】（ａ）は従来のカラビナの正面図、（ｂ）は（ａ）に示した戻しリンクバネと係止溝の当接状態を示す拡大断面図、（ｃ）は（ａ）に示したレバー杆が９０度程度に開かれた場合の要部拡大断面図である。
【発明を実施するための形態】
【００２４】
以下、本発明に係る実施形態を図面を参照して説明する。
図１は本発明の実施形態に係るカラビナ１１の一部分を切り欠いた正面図、図２（ａ）は図１に示したカラビナ１１の分解斜視図、（ｂ）は（ａ）の要部拡大側面図、図３は図１に示したカラビナ１１のレバー杆１３が開かれた状態の一部分を切り欠いた正面図である。
本実施形態に係るカラビナ１１は、ボディ１５と、レバー杆１３と、リターンスプリング１７と、戻しリンクバネ１９と、摺接端部２１と、係止溝２３と、バネ受け面２５と、を有する。
【００２５】
ボディ１５は、例えば断面円形状の棒体を、長円形の環状に曲げて形成される。断面形状は、円形状の他、四角形、六角形、八角形等の多角形であってもよい。また、環状の形状は、長円形の他、滴型楕円形状、四角形状等、その他の形状であってもよい。ボディ１５は、周方向に一部分が分断されて、開口部２７となる。つまり、ボディ１５は、開口部２７を介してロープやキーリング等の他部材が、半径方向で出し入れ可能となっている。ボディ１５の材質は、合成樹脂が用いられるが、アルミニウム等の金属などを材質としてもよい。
【００２６】
ボディ１５は、開口部２７を挟む開放一端部に、Ｃ字投影面（図１に示す紙面）に垂直なピン挿通孔２９が穿設される。このピン挿通孔２９には、ピン３１が挿通され支持される。ピン３１は、レバー杆１３を回転自在に支持する。開放一端部には、この他、係止溝２３が形成されている。また、ボディ１５の開放他端部には、係止爪３３が形成される。係止爪３３は、レバー杆１３に係止する。
【００２７】
レバー杆１３は、ボディ１５の開放一端部に、上記のピン３１によって回転自在に支持される。本実施形態において、レバー杆１３は、略角柱形で形成される。レバー杆１３の揺動先端には、上記の係止爪３３に係止する係止凹部３５が形成される。係止凹部３５は、レバー杆１３の閉鎖方向に移動で、係止爪３３に噛み合うように当接し、それ以上のレバー杆１３の回転を規制する。つまり、係止凹部３５と係止爪３３は、レバー杆１３を閉止位置に規制する。
【００２８】
レバー杆１３には、図１に示すスプリング収容空間３７が略筒状に形成される。スプリング収容空間３７は、レバー杆１３の揺動基端にスプリング挿入口３９となって開口されている。このスプリング挿入口３９には、上記のピン３１が横断する。スプリング挿入口３９には図３に示す開放規制部４１が形成される。開放規制部４１は、レバー杆１３が９０度まで回転されると、ボディ１５に当接し、レバー杆１３のそれ以上の回転を規制する。また、このスプリング挿入口３９には、上記の係止溝２３が対向配置される。
【００２９】
リターンスプリング１７は、コイル状に形成される。リターンスプリング１７は、レバー杆１３のスプリング収容空間３７に収容され、レバー杆１３を閉じる位置に付勢する。
【００３０】
戻しリンクバネ１９は、中途が屈曲した略へ字状に曲げられたバネ性を有する金属片からなる。戻しリンクバネ１９は、一端がリターンスプリング１７に当接され、他端がボディ１５の開放一端部近傍に形成された係止溝２３に係止される。本実施形態において、戻しリンクバネ１９は、図２に示すように、一端に幅狭部のスプリング挿入片４３が形成される。
【００３１】
戻しリンクバネ１９は、このスプリング挿入片４３の反対側が、溝当接片４５となる。スプリング挿入片４３と溝当接片４５との間には、スプリング座部４７が形成される。戻しリンクバネ１９は、スプリング挿入片４３をリターンスプリング１７に挿入することで、スプリング座部４７がリターンスプリング１７に当接される。スプリング座部４７がリターンスプリング１７に当接した戻しリンクバネ１９は、溝当接片４５が係止溝２３に当接する。この状態で、リターンスプリング１７は、圧縮されている。また、戻しリンクバネ１９も、へ字状が直線になる方向に曲げられている。このリターンスプリング１７と戻しリンクバネ１９との弾性復元力によって、レバー杆１３は、開口部２７に閉止されている。
【００３２】
摺接端部２１は、戻しリンクバネ１９の他端に形成される。摺接端部２１は、係止溝２３に摺接する断面が、湾曲凸面よりなる。この湾曲凸面は、摺接端部２１である板片先端の断面において、表裏側の角を丸く面取りし、板厚を直径とする半円形とされ、好ましくは研磨等を行って形成した滑らかな湾曲面である。なお、この摺接端部２１の形状は、湾曲凸面の他に、板片先端の断面において表裏面の角を丸く面取りしたのみの形状や、半球状に立体成形した形状、先端部分のみが厚みを有し膨らんだ形状など、その他の形状として構成してもよい。
【００３３】
バネ受け面２５は、係止溝２３に形成される。バネ受け面２５には、戻しリンクバネ１９の摺接端部２１が摺接する。このバネ受け面２５は、凹状の湾曲面より形成され、摺接端部２１の板厚よりも大きい曲率、例えば板厚の約２倍の直径の略半円状とされる。すなわち、Ｖ溝等の入隅が形成されないようになっている。
【００３４】
また、カラビナ１１は、バネ受け面２５のレバー杆１３の閉鎖状態における湾曲終端部に、戻しリンクバネ１９の摺接端部２１の離脱を規制する突起４９がバネ受け面２５を狭める方向に突設される。
【００３５】
また、カラビナ１１は、図３に示すように、レバー杆１３の閉鎖位置からレバー杆１３の開放端位置までのレバー杆１３の回転角度が、９０度に設定される。
【００３６】
次に、上記の構成を有するカラビナ１１の作用を説明する。
図４（ａ）はレバー杆閉鎖時の要部側面を表す動作説明図、（ｂ）はレバー杆回転途中の要部側面を表す動作説明図、（ｃ）はレバー杆１３が開かれた状態の要部側面を表す動作説明図である。
本実施形態に係るカラビナ１１では、戻しリンクバネ１９の摺接端部２１が湾曲凸面、所謂Ｒ面で形成され、この摺接端部２１が摺接する係止溝２３のバネ受け面２５が湾曲凹面で形成される。レバー杆１３の開放方向への回転に伴って、レバー杆１３に収容される戻しリンクバネ１９は、他端の摺接端部２１が、湾曲凹面となったバネ受け面２５を摺動する。
【００３７】
カラビナ１１は、戻しリンクバネ１９の摺接端部２１が、係止溝２３のバネ受け面２５を摺動自在とされ、この係止溝２３の内側に摺接端部２１が位置しており、戻しリンクバネ１９は係止溝２３から離脱しにくくなる。これにより、レバー杆１３は、９０度程度まで回転された開放が可能となる。また、戻しリンクバネ１９の摺接端部２１と、係止溝２３のバネ受け面２５とが、図４に示すように相互に湾曲面同士で摺接するので、ボディ１５が樹脂製であっても、金属製の戻しリンクバネ１９による係止溝２３の削れが抑制される。
【００３８】
戻しリンクバネ１９は、摺接端部２１が湾曲凸面で係止溝２３に摺動するので、戻しリンクバネ自身に過剰な応力が掛からず、折損することがない。さらに、レバー杆１３は、戻しリンクバネ１９の摺接端部２１が湾曲凸面よりなり滑らかに湾曲凹部よりなるバネ受け面２５を滑るので、開閉動作がスムーズとなる。
【００３９】
また、このカラビナ１１では、レバー杆１３が閉鎖されると、バネ受け面２５を摺接する戻しリンクバネ１９の摺接端部２１が、図１に示すように、バネ受け面２５の一方の湾曲終端部である係止溝端に接近する。その際、摺接端部２１が、湾曲終端部に設けられた突起４９に当接することで、摺接端部２１が係止溝端から離脱することが規制される。その結果、レバー杆閉鎖時の戻しリンクバネ１９の係止溝２３からの抜け出し、脱落を確実に防止できる。
【００４０】
さらに、このカラビナ１１では、レバー杆１３が、９０度の回転角度で回転され、開放されることで、ボディ１５の開口部２７において、レバー杆１３が、図３に示すように、開口部２７の開口面と垂直に配置される。これにより、開口部２７は、離間幅の全てが、差し入れ部材の通過幅として利用が可能となる。その結果、開口部２７が有する離間幅の全てを、ボディ内方へ差し入れる部材の通過幅に設定することができる。
【００４１】
また、このカラビナ１１では、レバー杆１３の回転角度が９０度程度となった際に、図４（ｃ）に示すように、戻しリンクバネ１９の摺接端部２１がバネ受け面２５の他方の湾曲終端に形成されるストレート面２６に到達したとき、摺接端部２１とストレート面２６との成す溝外側の挟角θが直角より小さい角度、すなわち鋭角となる。これにより、摺接端部２１は、戻しリングバネ１９及びリターンスプリング１７の付勢力がバネ受け面２５の方向となり、係止溝２３からの脱落が抑制される。
【００４２】
次に、本発明に係るカラビナの変形例を説明する。
図５はボディ５１にストッパー面５３が形成された変形例に係るカラビナ５５の一部分を切り欠いた正面図、図６は図５に示したカラビナ５５のレバー杆５７が開放された状態の正面図である。なお、図１〜図４に示した部材と同一の部材には同一の符号を付し重複する説明は省略する。
この変形例に係るカラビナ５５は、ボディ５１の開放一端部に連続する内周面に、平坦なストッパー面５３が形成される。ストッパー面５３は、レバー杆５７が、９０度の回転角度で回転されたときに、レバー杆５７に当接し、それ以上のレバー杆５７の回転を規制する。つまり、レバー杆５７には、上記したレバー杆１３が有する開放規制部４１（図３参照）を形成しなくともよい。
【００４３】
図７（ａ）はＵ字状に形成されたバネ受け面２５におけるレバー杆閉鎖時の要部側面を表す動作説明図、（ｂ）はレバー杆回転途中の要部側面を表す動作説明図、（ｃ）はレバー杆５７が開かれた状態の要部側面を表す動作説明図である。
また、カラビナ５５は、係止溝５９が、バネ受け面２５の湾曲に連続してボディ１５の開口部２７に沿うストレート面６１を有する。戻しリンクバネ１９は、リターンスプリング１７に当接するスプリング挿入片４３と、溝当接片４５とでへ字状となるように折り曲げられる。溝当接片４５は、図７（ｃ）に示すように、ストレート面６１と接するときのストレート面６１と成す溝外側の挟角θが、鋭角となる。
【００４４】
このカラビナ５５では、係止溝５９のバネ受け面２５が、湾曲凹面に連続するストレート面６１を有したＵ字状に形成される。戻しリンクバネ１９の摺接端部２１は、レバー杆５７の開放方向の回転に伴って、湾曲凹面からストレート面６１に向かう方向に摺接しながら移動される。レバー杆５７の回転角度が９０度程度となって、戻しリンクバネ１９の摺接端部２１がストレート面６１に到達したとき、図７（ｃ）に示すように摺接端部２１とストレート面６１との成す溝外側の挟角θが鋭角となることで、摺接端部２１は、係止溝５９から離脱が抑制される。その結果、レバー杆５７を９０度程度まで倒したときの戻しリンクバネ１９の係止溝５９から溝外側への抜け出しを防止できる。
【００４５】
図８はボディ６３にキャップ状座部６５が設けられた変形例に係るカラビナ６７の斜視図、図９は図８に示したカラビナ６７のキャップ状座部６５の内部構造を破線で表した正面図、図１０は図８に示したカラビナ６７のレバー杆閉鎖時の正面図、図１１は図８に示したカラビナ６７のレバー杆５７が開かれた状態の正面図である。なお、図１〜図７に示した部材と同一の部材には同一の符号を付し、重複する説明は省略する。
この変形例に係るカラビナ６７は、ボディ６３の図における下部となるピン挿通孔２９の形成される開口部２７の開放一端側が、キャップ状座部６５となっている。キャップ状座部６５は、有底筒状に形成され、上下反転させることで底部が天板部６９となって、この天板部６９に、逆Ｊ字形のボディ６３が一体に形成されている。また、天板部６９には、係止溝２３、ピン挿通孔２９が設けられ、天板部６９の略中央部分がストッパー面５３とされる。
【００４６】
図９に示すように、キャップ状座部６５の内方となる凹部７１の天井面７３には、雌ねじ７５が形成されている。このカラビナ６７も、図１０に示す閉止状態のレバー杆５７が開放されると、図１１に示すように、レバー杆５７が天板部６９のストッパー面５３に当接する。これにより、レバー杆５７は、略９０度の回転角度で開放される。
【００４７】
このカラビナ６７は、キャップ状座部６５の雌ねじ７５に、図１２に示す折りたたみ傘７７の柄の部分の雄ねじ（図示略）が螺合される。つまり、カラビナ６７が折りたたみ傘７７の柄となって、一体に取り付けられる。このように、カラビナ６７が柄となった、折りたたみ傘７７は、レバー杆５７を開放することで、棒体や、環状体に引っ掛けられる。その後、折りたたみ傘７７は、レバー杆５７が閉鎖されることで、棒体や、環状体からの脱落を防止することができる。
【００４８】
図１３はキャップ状座部６５に締め付けベルト７９が設けられた変形例に係るカラビナ８１の正面図、図１４は図１３に示した締め付けベルト７９の平面図である。なお、図１〜図１２に示した部材と同一の部材には同一の符号を付し、重複する説明は省略する。
この変形例に係るカラビナ８１は、キャップ状座部６５に、締め付けベルト７９が一体に設けられている。締め付けベルト７９は、Ｃ字形のベルト基部８３がキャップ状座部６５に一体に形成される。このベルト基部８３は、ペットボトル８５の首括れ部８７に嵌る。ベルト基部８３の両端には、ベルト取付突起８９が一つずつ突設される。一方のベルト取付突起８９には可撓性を有するベルト９１が固定される。ベルト９１には、突起係合穴（図示略）が穿設される。ベルト９１は、ペットボトル８５の首括れ部８７に巻き付けられて他方のベルト取付突起８９に突起係合穴が嵌められる。また、ベルト基部８３やベルト９１の内側面には、首括れ部８７との密接性を高めるための内周凸条９３が設けられてもよい。
【００４９】
このカラビナ８１によれば、ペットボトル８５の首括れ部８７に巻き付けて取り付けることができ、ペットボトル８５の運搬性を高めることができる。また、仮り置き性、すなわち平坦設置面が無い場合の設置性を良好にすることができる。
【００５０】
従って、本実施形態に係るカラビナによれば、戻しリンクバネ１９の先端が係止溝２３を削ってしまったり欠損させたりすることがなく、且つ、レバー杆１３（５７）を９０度程度まで倒せることができて、差し込み空間を広くすることができる。
【符号の説明】
【００５１】
１１…カラビナ
１３…レバー杆
１５…ボディ
１７…リターンスプリング
１９…戻しリンクバネ
２１…摺接端部
２３…係止溝
２５…バネ受け面
２７…開口部
４３…スプリング挿入片
４５…溝当接片
４９…突起
６１…ストレート面
θ…挟角
【図１】
2016006342.tif 000003
【図２】
2016006342.tif 000004
【図３】
2016006342.tif 000005
【図４】
2016006342.tif 000006
【図５】
2016006342.tif 000007
【図６】
2016006342.tif 000008
【図７】
2016006342.tif 000009
【図８】
2016006342.tif 000010
【図９】
2016006342.tif 000011
【図１０】
2016006342.tif 000012
【図１１】
2016006342.tif 000013
【図１２】
2016006342.tif 000014
【図１３】
2016006342.tif 000015
【図１４】
2016006342.tif 000016
【図１５】
2016006342.tif 000017